(57)【特許請求の範囲】
【請求項１】
エレベータ用昇降路を移動する乗りかごの行先階の登録操作を行う機能を有するとともに上下方向に沿って一列に並ぶ複数の接触式操作入力部を含み、前記乗りかご内の乗降口に隣接する壁に取り付けられたエレベータ用操作盤であって、
正面側から見て前記複数の接触式操作入力部の右側に各々隣接配置され、手をかざすことにより生じる遮光を検知することで正面側から見て左側に隣接する前記接触式操作入力部と同じ前記行先階の登録操作を実行可能に各々構成された複数の非接触式操作入力部と、
前記複数の接触式操作入力部および前記複数の非接触式操作入力部のうち左右に隣り合う前記接触式操作入力部および前記非接触式操作入力部のいずれか一方により前記行先階の登録操作が行われた場合に前記行先階の登録がなされたことを発光により報知する機能を有し、前記非接触式操作入力部が前記遮光を検知している状態で正面側から見たときに前記非接触式操作入力部にかざされている乗客の手で隠れてしまわないよう正面側から見て前記非接触式操作入力部の左側に隣接する前記接触式操作入力部に各々設けられる複数の登録報知部と、を備える、
エレベータ用操作盤。
【請求項２】
前記複数の非接触式操作入力部は、前記複数の接触式操作入力部よりも水平方向の長さが長くなるよう構成されている、
請求項１に記載のエレベータ用操作盤。
【請求項３】
正面側から見て複数の前記接触式操作入力部の左側に各々複数の点字表示部が設けられている、
請求項１または２に記載のエレベータ用操作盤。
【請求項４】
前記非接触式操作入力部は、当該非接触式操作入力部から予め設定された距離だけ離れた位置で前記所定動作を検知するように構成されている、
請求項１から３のいずれか１項に記載のエレベータ用操作盤。
【請求項５】
前記接触式操作入力部は、押釦またはタッチセンサにより構成されている、
請求項１から４のいずれか１項に記載のエレベータ用操作盤。
【発明の詳細な説明】
【技術分野】
【０００１】
本発明は、エレベータに関し、特に、非接触式操作盤を備えたエレベータに関する。
【背景技術】
【０００２】
エレベータのかご内や乗場には、かご操作盤や乗場操作盤が設置される。かご操作盤や乗場操作盤には、行先階の数字などを表示した行先階釦や上下釦が設けられている。乗客は、例えば、行先階釦を操作することで、昇降路を移動するかごの行先階を登録する。この行先階釦には、押し釦やタッチパネルのグラフィカルユーザインタフェース（ＧＵＩ）といった接触式のものが広く採用されている。
【０００３】
また、近年では、公共施設等に設置されるエレベータにおいて、衛生面への配慮から、かごの行先階登録の操作を非接触で行うことが可能な非接触式のかご操作盤も導入されつつある。この種のかご操作盤では、乗客による行先階登録の操作を、距離センサや光電センサによって非接触で検出することとしている（例えば、特許文献１）。
【先行技術文献】
【特許文献】
【０００４】
【特許文献１】特開２０１９−１４２６８６号公報
【発明の概要】
【発明が解決しようとする課題】
【０００５】
ところで、視覚障害のある利用者にとっては、上記のような非接触式のかご操作盤よりも押釦などで構成された接触式のかご操作盤の方が誤操作のおそれが少なく利用しやすい。
【０００６】
また、いずれの操作盤においても操作入力した内容の受けつけ状況、すなわち、行先階の登録状況を利用者が確認できるように応答灯などの確認手段を設けておくことが利用者の利便性を向上させる上で望ましい。
【０００７】
これらの事情から接触式および非接触式双方の操作盤を乗場やかご内に併設する場合にはいずれか一方の操作盤のみを設置する場合と比較してより大きな設置スペースが必要となるため設置困難な場合もある。
【０００８】
本発明では、接触式および非接触式双方の操作入力部を設ける場合において、操作盤の大型化を抑制しつつ利用者の利便性も向上させることができるエレベータ用操作盤を提供することを目的とする。
【課題を解決するための手段】
【０００９】
本発明のエレベータ用操作盤は、エレベータ用昇降路を移動する乗りかごの行先階の登録操作を行う機能を有するとともに上下方向に沿って一列に並ぶ複数の接触式操作入力部を含み、乗りかご内の乗降口に隣接する壁に取り付けられたエレベータ用操作盤であって、正面側から見て複数の接触式操作入力部の右側に各々隣接配置され、手をかざすことにより生じる遮光を検知することで正面側から見て左側に隣接する接触式操作入力部と同じ行先階の登録操作を実行可能に各々構成された複数の非接触式操作入力部と、複数の接触式操作入力部および複数の非接触式操作入力部のうち左右に隣り合う接触式操作入力部および非接触式操作入力部のいずれか一方により行先階の登録操作が行われた場合に行先階の登録がなされたことを発光により報知する機能を有し、非接触式操作入力部が遮光を検知している状態で正面側から見たときに非接触式操作入力部にかざされている乗客の手で隠れてしまわないよう正面側から見て非接触式操作入力部の左側に隣接する接触式操作入力部に各々設けられる複数の登録報知部と、を備えるものである。
【００１０】
本発明のエレベータ用操作盤において、複数の非接触式操作入力部は、複数の接触式操作入力部よりも水平方向の長さが長くなるように構成してもよい。
【００１１】
本発明のエレベータ用操作盤において、正面側から見て複数の前記接触式操作入力部の左側に各々複数の点字表示部を設けてもよい。
【００１２】
本発明のエレベータ用操作盤において、非接触操作入力部は、非接触式操作入力部から予め設定された距離だけ離れた領域で所定動作を検知するように構成してもよい。
本発明のエレベータ用操作盤において、接触式操作入力部は、押釦またはタッチセンサにより構成してもよい。
【発明の効果】
【００１３】
本発明のエレベータ用操作盤によれば、接触式操作入力部および非接触式操作入力部のどちらから操作入力を行った場合でも接触式操作入力部に設けられた登録確認報知部を介して利用者が行先階登録の有無を確認できる。
【００１４】
このため、操作盤の大型化を抑制しつつ利用者の利便性も向上させることができる。
【図面の簡単な説明】
【００１５】
【図１】本発明の一実施形態であるエレベータ用操作盤が適用されるエレベータの全体構成図である。
【図２】本発明の一実施形態であるエレベータ用操作盤が適用される乗りかご内の構成を示す斜視図である。
【図３】図２に示すエレベータ用操作盤の構成を示す図である。
【図４】図３に示すセンサ部と同センサ部の検出領域の位置関係を示す模式図である。
【図５】図５（ａ）は、エレベータ用操作盤の第１変形例である乗場操作盤の構成を示す図である。図５（ｂ）は、エレベータ用操作盤の第２変形例である乗場操作盤の構成を示す図である。図５（ｃ）は、エレベータ用操作盤の第３変形例である乗場操作盤の構成を示す図である。
【発明を実施するための形態】
【００１６】
以下、本発明の一実施形態であるエレベータ用操作盤が適用されるエレベータ１０について、図面を参照しながら説明する。なお、各図において、図中に示す「Ｘ」は駆動シーブ１８の軸方向と直交する水平方向Ｘを示し、「Ｙ」は上下方向Ｙを示し、「Ｚ」は水平方向Ｘ，および上下方向Ｙに各々直交する水平方向Ｚを示すものとする。
【００１７】
図１に示すように、エレベータ１０は、昇降路１２の最上部に機械室１４を有するトラクション式エレベータであって、例えば、病院や介護施設など公共の建物に設置される。機械室１４に設置された巻上機１６の駆動シーブ１８には、主ロープ２０が掛けられており、この主ロープ２０の一端部にかご２２が連結され、他端部にカウンターウェイト２４が連結されている。
【００１８】
巻上機１６のモータ（不図示）からの回転動力が、動力伝達機構（不図示）を介して駆動シーブ１８に伝達され、駆動シーブ１８が回転駆動されるとこれに伴って主ロープ２０が走行し、主ロープ２０に吊り下げられたかご２２が、ガイドレール（不図示）に案内されて昇降路を上下方向Ｙに移動する。
【００１９】
エレベータ１０が設置された建物には、異なる階毎に乗場２６Ａ，２６Ｂ，２６Ｃ（以下、特に区別する必要が無い場合は適宜「乗場２６」と表記）が設けられており、エレベータ１０の運転中、かご２２は、現在、着床している階の乗場（図１では、乗場２６Ｃ）から、次の行先階の乗場（例えば、乗場２６Ａ）までの昇降移動を繰り返す。
【００２０】
図２は、かご２２内のかご扉２２Ａ周辺の構成を示す斜視図である。図２に２点鎖線で示す位置、すなわち、かご２２の乗場２６側に設けられた乗降口（不図示）側の袖壁２２−１にかご操作盤（エレベータ用操作盤）２８が設けられている。エレベータ１０を利用する乗客が、このかご操作盤２８を操作することにより、かご２２の行先階が決定される。
【００２１】
図３は、かご操作盤２８の構成を示す正面図である。図３に示すように、かご操作盤２８は、かご２２の行先階を決定する入力操作を行う機能を有する行先階操作部３０が中央部に設けられている。行先階操作部３０は、押釦（接触式操作入力部）３１Ａ，３１Ｂ，３１Ｃ，…（以下、特に区別する必要が無い場合は押釦「３１」と表記）、非接触式のセンサ部（非接触式操作入力部）３２Ａ，３２Ｂ，３２Ｃ，…（以下、特に区別する必要が無い場合はセンサ「３２」と表記）とが各々隣り合うように上下方向Ｙに沿って配置される。隣接する押釦３１とセンサ部３２は各々同じ階の乗場２６を行先階として（呼び）登録するための入力操作を行う機能を有する。
【００２２】
各押釦３１は、乗場２６がある各階に対応しており、正面視において円状の外観形状を呈する操作入力部である。本実施形態では、１階から６階が行先階となり得る構成になっており、例えば、押釦３１Ｂは、２階を行先階として決定するための操作を受けつける役割を有する。
【００２３】
また、押釦３１は、行先階登録を受けつけたことを利用者に報知する機能も有する。より具体的には、図３に示すように、押釦３１Ａ，３１Ｂ，３１Ｃ，…の正面側に行先階を示す数字の形をした透光部（登録報知部）３３Ａ，３３Ｂ，３３Ｃ（以下、特に区別する必要が無い場合は「透光部３３」と表記），…が設けられており、押釦３１内部に設けられた不図示のランプが点灯することによって透光部３３が発光可能に構成される。そして、押釦３１を押すことにより、或いは、センサ部３２が手をかざす動作などを検出することにより行先階の（呼び）登録が行われると透光部３３が点灯するように構成される。これにより、押釦３１やセンサ部３２を介して入力操作を行った際に、行先階の登録がなされているか否かを利用者が目視確認することができる。本実施形態では、接触式操作入力部として押釦３１を用いる例を挙げているが、例えば、タッチセンサなどを用いてもよい。
【００２４】
なお、本実施形態では、押釦３１の透光部３３に登録報知部としての機能を備えさせることにより登録報知部を押釦３１と一体に構成しているが、押釦３１と異なる位置、例えば、押釦３１の周囲に登録報知部を設けてもよい。
【００２５】
各センサ部３２には両端が丸みを帯び水平方向Ｚに長くなるように形成された矩形状の孔が設けられ、各孔の奥側に反射型光電センサがそれぞれ格納される。各矩形孔は、透光性を有する保護プレート３６Ａ，３６Ｂ，３６Ｃ，…（以下、特に区別する必要がない場合は保護プレート「３６」と表記）によって各々覆われている。また、各センサ部３２に含まれる上記反射型光電センサは、投光器と受光器が一体になった反射型光電センサであり、投光器から光を照射し、受光器が受光する物体からの反射光の受光量の変化に基づいて物体の有無を検出する。
【００２６】
本実施形態では、受光器側の受光量（センサの感度）を調整し、予め設定されている検出領域Ｐの物体を検出可能に構成されている。ここで、図４は、センサ部３２と検出領域Ｐの位置関係を示す模式図である。図４では、センサ部３２および検出領域Ｐ以外の構成については適宜省略して示している。また、図４では、ハッチングを付して検出領域Ｐを図示している。
【００２７】
図４に示すように、検出領域Ｐは、センサ部３２から水平方向Ｘに第１所定距離Ｌ１だけ離れた位置から水平方向Ｘに第２所定距離Ｌ２だけ離れた位置までを含む空間領域に設定される。
【００２８】
第１所定距離Ｌ１としては、２ｃｍ≦Ｌ１≦３ｃｍとなるように設定するのが好ましい。これにより、視覚障害のある利用者が押釦の位置を手探りで探すような場合や利用者が不意にセンサ部３２に触れてしまったような場合において、利用者の指などにセンサが反応して行先階が誤って過誤登録されるのを抑制できる。
【００２９】
また、第２所定距離Ｌ２としては、４ｃｍ≦Ｌ２≦１０ｃｍとなるように設定するのが好ましい。これにより、かご２２内が混雑しているときなどに乗客の身体の一部や持ち物などをセンサ部３２が誤検知し難くできる。この結果、かご２２内が混雑しているときなどに乗客の身体の一部や持ち物などがセンサ部３２に近接し行先階が誤って登録されるのを抑制できる。
【００３０】
図３に破線で示すように、上記検出領域Ｐに利用者が手Ｕをかざすなどの所定動作を行うことでセンサ部３２が予め設定された時間だけ遮光を検知すると、後述する制御装置（図１参照）に検出信号が送信され、行先階の登録がなされる。そして、行先階の登録がなされると、左側に隣接配置されている押釦３１の透光部３３が点灯する。これにより、利用者に行先階の登録がなされたことを報知できる。なお、図３では、透光部３３にハッチングを付して点灯状態を模式的に示している。
【００３１】
また、上述したように、押釦３１とセンサ部３２を横並びに配置することにより行先階操作部３０の上下方向Ｙの寸法を短くできるという利点もある。
【００３２】
また、図３に破線で示すように、各押釦３１の左隣に点字表示部３９を設けてもよい（図３では、頻雑な図示を避けるため押釦３１Ａの左隣にのみ点字表示部３９を示しているが、他の押釦３１の左隣にも各々対応する点字表示部を設けてもよい。）。このように、点字表示部３９は、通常、押釦３１の左側に設置される。このため、押釦３１の右隣にセンサ部３２を配置することにより、押釦３１の左側に点字表示部３９を設置可能なスペースを確保できるという利点もある。また、このような配置構成とすることにより、視覚障害のある利用者が押釦３１を指先で探すときに押釦３１よりも離れた位置にセンサ部３２が配置されることとなるため、指先がセンサ部３２に接近し難くなりセンサ部３２の誤検知を抑制できるという利点もある。
【００３３】
さらに、利用者の多くは右利きであるため押釦３１の右隣にセンサ部３２を配置した場合には、センサ部３２を操作するために利用者が手を伸ばしたときに、伸ばした手で押釦３１が隠れにくく透光部３３の点灯有無を確認しやすいしやすいというメリットもある。
【００３４】
行先階操作部３０の下部には、かご扉２２Ａの開閉操作を行う開釦４１と閉釦４２が並設されている。また、行先階操作部３０の上部には、外部との連絡を行うための連絡釦４３が設けられている。なお、これらの各釦４１〜４３は、何れも、従来公知の押釦であるが、センサと同様に非接触式の操作入力部を採用することとしても構わない。
【００３５】
かご操作盤２８は、さらに、表示部４４を有する。表示部４４は、例えば、液晶ディスプレイからなり、例えば、かご２２の移動方向やかご２２の通過階、その他乗客に報知する情報を表示する。表示部４４は、行先階操作部３０よりもさらに上方の乗客から見やすい位置に設けられている。かご操作盤２８には、また、音声を出力するスピーカー（不図示）が内蔵されている。
【００３６】
上記構成からなる非接触式のかご操作盤２８は、機械室１４（図１参照）に設置された制御装置４６と電気的に接続されている。制御装置４６は、エレベータ１０の運転制御全般を統括して行うコンピュータであり、ＣＰＵや、メモリ、ＨＤＤなどの記憶デバイスを備える。記憶デバイスには、例えば、巻上機１６の駆動制御、かごドア（不図示）の開閉制御などを行うための各種制御プログラムが格納されている。ＣＰＵが、これらのプログラムを読み出して実行することにより、制御装置４６によるエレベータ１０の円滑な運転が実現される。
【００３７】
上記構成を有するエレベータ１０では、かご２２の行先階登録に関する制御も制御装置４６によって行われる。制御装置４６のメモリには、かご２２の行先階登録に関する制御プログラムが格納されており、ＣＰＵが当該制御プログラムをメモリから読み出し、かご２２の行先階登録を制御する。
【００３８】
本実施形態のかご操作盤２８によれば、押釦３１およびセンサ部３２から行われた操作入力による行先階登録の有無を押釦３１の透光部３３が点灯することで利用者に報知できる。この結果、押釦３１およびセンサ部３２を併設する場合において、操作盤の設置スペースの増大を抑制しつつ利用者の利便性も向上させることができる。
【００３９】
上記実施形態では、かご操作盤２８を例に挙げて説明を行っているが、本実施形態のエレベータ用操作盤を、乗場２６に設置される乗場操作盤に適用してもよい。この場合の第１〜第３変形例について、図５（ａ）〜図５（ｃ）を用いて説明を行う。以下の説明において、上述したかご操作盤２８と構成が共通する部分については適宜説明を省略し、主に構成の異なる部分についてのみ説明を行うものとする。
【００４０】
図５（ａ）は、第１変形例に係る乗場操作盤５０の構成を示す図である。図５（ａ）に示すように、乗場操作盤５０には、表示部４４と同様の機能を有する表示部５１と、乗場操作部５２とが設けられている。乗場操作部５２には、上階行きのかご２２を乗場２６に呼ぶための押釦５３と、下階行きのかご２２を乗場２６に呼ぶための押釦５４とか各々設けられている。そして、各押釦５３，５４の右隣にはセンサ部５５，５６が各々設置される。各押釦５３，５４の構成は上記実施形態における押釦３１と同様であり、各センサ部５５，５６の構成は上記実施形態におけるセンサ部３２と同様である。
【００４１】
図５（ｂ）は、第２変形例に係る乗場操作盤６０の構成を示す図である。図５（ｂ）に示すように、乗場操作盤６０は、表示部が設けられていない点を除き乗場操作盤５０と同一の構成を備える。より具体的には、押釦６３，６４は乗場操作盤５０の各押釦５３，５４と各々同一の構成を備え、センサ部６５，６６は、乗場操作盤５０のセンサ部５５，５６と各々同一の構成を備える。
【００４２】
図５（ｃ）は、第３変形例に係る乗場操作盤７０の構成を示す図である。乗場操作盤７０は、乗場操作盤６０の押釦６３，６４と各々同一の機能を有する押釦７３，７４と、乗場操作盤６０のセンサ部６５，６６と各々同一の機能を有するセンサ部７５，７６とを有する。
【００４３】
本発明は、その趣旨を逸脱しない範囲で当業者の知識に基づいて種々なる改良、修正、又は変形を加えた態様でも実施できる。また、同一の作用又は効果が生じる範囲内で、何れかの発明特定事項を他の技術に置換した形態で実施しても良い。
【符号の説明】
【００４４】
１０    エレベータ
２６，２６Ａ，２６Ｂ，２６Ｃ    乗場
２８    かご操作盤（エレベータ用操作盤）
３０    行先階操作部
３１，３１Ａ，３１Ｂ，３１Ｃ    押釦（接触式操作入力部）
３２，３２Ａ，３２Ｂ，３２Ｃ    センサ部（非接触式操作入力部）
３３    透光部（登録報知部）
４１    開釦
４２    閉釦
４３    連絡釦
４６    制御装置
５０，６０，７０    乗場操作盤
５３，５４，６３，６４，７３，７４    押釦（接触式操作入力部）
５５，５６，６５，６６，７５，７６    センサ部（非接触式操作入力部）
Ｌ１    第１所定領域
Ｌ２    第２所定領域
Ｐ    検出領域
【要約】
【課題】接触式および非接触式双方の操作入力部を設ける場合において、操作盤の大型化を抑制しつつ利用者の利便性も向上させることができるエレベータ用操作盤を提供する。
【解決手段】かご操作盤２８は、行先階登録を行うための操作を受けつけるとともに操作によって行先階の登録がなされたことを報知する透光部３３を有する押釦３１と、押釦３１に隣接配置され、利用者が手をかざす動作を非接触で検出することにより行先階登録を受けつけるためのセンサ部３２とを備え、透光部３３は、センサ部３２を介して行先階登録がなされたときに行先階登録がなされたことを報知するために点灯する。
【選択図】図３【図１】
0006809629.tif 000002
【図２】
0006809629.tif 000003
【図３】
0006809629.tif 000004
【図４】
0006809629.tif 000005
【図５】
0006809629.tif 000006